(57)【要約】【課題】配信される映像を効率よく映像表示装置において視聴させることが可能な視聴解析サーバを提供する。【解決手段】視聴解析サーバ３の受信部３１は、映像表示装置２における視聴状況に関する視聴情報を受信し、集中度解析部３３が、受信した視聴情報に基づいて複数の映像が視聴される映像ごとの視聴集中度の高さである視聴集中度を解析する。また送信部３２は、解析した視聴集中度を映像表示装置２に送信し、映像表示装置２は受信した視聴集中度に基づいて表示して、視聴者は効率よく映像を視聴することができる。【選択図】        図１
2005260578.tif 000002
【特許請求の範囲】
【請求項１】
複数の映像を受信して記録し表示する映像表示装置の記録再生操作によって取得される前記複数の映像の視聴状況に関する視聴情報を、ネットワークを介して受信して解析する視聴解析サーバであって、
前記映像表示装置における視聴状況に関する視聴情報を受信する受信手段と、
前記受信手段によって受信した前記視聴情報に基づいて、前記複数の映像が視聴される映像ごとの視聴集中度の高さである視聴集中度を解析する集中度解析手段と、
を備えたことを特徴とする視聴解析サーバ。
【請求項２】
前記複数の映像は番組映像であり、
前記受信手段は、前記映像表示装置の前記番組映像に関する視聴情報を受信し、
前記集中度解析手段は、受信した前記視聴情報に基づいて前記番組映像の映像ごとの視聴集中度を解析するものであることを特徴とする請求項１に記載の視聴解析サーバ。
【請求項３】
前記受信手段は、前記映像表示装置による再生、再生しながらの早送り、再生しないスキップ、繰り返し再生であるリピート、停止、および再生の一時停止であるポーズのうちの１つ以上を含んだ前記視聴情報を受信し、
前記集中度解析手段は、受信した前記１つ以上を含んだ視聴情報に基づいて前記番組映像の映像ごとの視聴集中度を解析するものであることを特徴とする請求項１または２に記載の視聴解析サーバ。
【請求項４】
さらに、前記集中度解析手段によって解析された前記映像ごとの視聴集中度の情報を、前記映像表示装置を含む端末装置に送信する送信手段を備えたことを特徴とする請求項１〜３のいずれか１つに記載の視聴解析サーバ。
【請求項５】
複数の映像を受信して表示する映像表示装置であって、
前記複数の映像、および前記複数の映像における各映像ごとの指標をネットワークを介して視聴解析サーバから受信する受信手段と、
前記受信手段によって受信した前記指標を読み取る指標読取手段と、
前記指標読取手段によって読み取られた指標に基づいて前記映像を表示する表示手段と、
を含むことを特徴とする映像表示装置。
【請求項６】
さらに、前記受信手段が受信した複数の映像、および前記指標読取手段が読み取った各映像ごとの指標を記録する格納手段を備え、
前記表示手段は、前記格納手段に記憶された前記複数の映像を、記憶された前記各映像ごとの指標に基づいて表示することを特徴とする請求項５に記載の映像表示装置。
【請求項７】
前記表示手段は、前記格納手段に記憶された前記複数の映像を再生する際に、再生、再生しながらの早送り、再生しないスキップ、繰り返し再生であるリピート、停止、および再生の一時停止であるポーズのうちの１以上の機能を有して、前記格納手段に記憶された各映像ごとの指標に基づいて、前記複数の映像を前記１つ以上の機能を使用して表示するものであり、
さらに、前記表示手段による表示の際の前記１つ以上の機能を操作した操作情報を前記視聴解析サーバに送信する送信手段を備えたことを特徴とする請求項５または６に記載の映像表示装置。
【請求項８】
前記受信手段は、前記指標として前記映像ごとの視聴度の高さである視聴集中度情報を受信し、
前記指標読取手段は、前記映像ごとの視聴集中度情報を読み取り、
前記表示手段は、読み取られた前記視聴集中度情報に基づいて前記映像を表示するものであることを特徴とする請求項５〜７のいずれか１つに記載の映像表示装置。
【請求項９】
前記受信手段は、前記複数の映像として番組映像、および前記番組映像の各映像ごとの指標として視聴集中度を受信し、
前記指標読取手段は、受信した前記番組映像の各映像ごとの視聴集中度を読み取り、
前記表示手段は、前記指標読取手段によって読み取られた視聴集中度に基づいて前記番組映像を表示するものであることを特徴とする請求項８に記載の映像表示装置。
【請求項１０】
前記表示手段は、前記格納手段に記憶された前記番組映像を再生する際に、再生、再生しながらの早送り、再生しないスキップ、繰り返し再生であるリピート、停止、および再生の一時停止であるポーズのうちの１つ以上の機能を有し、前記指標読取手段が読み取った視聴集中度に基づいて、前記番組映像を前記１つ以上の機能を使用して表示するものであることを特徴とする請求項９に記載の映像表示装置。
【請求項１１】
さらに、前記指標読取手段が読み取った前記各映像の指標を所定のしきい値と比較し判定する比較手段を備え、
前記表示手段は、前記比較手段によって前記所定のしきい値以上であると判定された映像のみを表示するものであることを特徴とする請求項５〜１０のいずれか１つに記載の映像表示装置。
【請求項１２】
前記表示手段は、前記比較手段によって前記所定のしきい値以上であると判定された映像部分の所定の時間以前の映像のみを表示するものであることを特徴とする請求項１１に記載の映像表示装置。
【請求項１３】
前記表示手段は、前記比較手段によって前記所定のしきい値以上であると判定された映像部分の所定の時間以前の映像において、前記所定のしきい値以上である映像の開始を予告する予告表示を行うものであることを特徴とする請求項１１または１２に記載の映像表示装置。
【請求項１４】
映像配信サーバから配信される複数の映像を受信し表示する映像表示装置と、ネットワークに接続して前記複数の映像に関する各映像ごとの指標を指標情報として前記映像表示装置に配信する視聴解析サーバと、を備えた視聴情報収集配信システムであって、
前記映像表示装置は、
前記複数の映像および前記指標情報を受信する受信手段と、
前記受信手段によって受信した前記指標情報の指標を読み取る指標読取手段と、
受信した前記複数の映像、および前記指標読取手段が読み取った指標を記憶する格納手段と、
前記格納手段に記憶された前記複数の映像を、格納された前記各映像ごとの指標に基づいて表示する表示手段と、
を備えるものであることを特徴とする視聴情報収集配信システム。
【請求項１５】
前記映像表示装置の前記表示手段は、
再生、再生しながらの早送り、再生しないスキップ、繰り返し再生であるリピート、停止、および再生の一時停止であるポーズのうちの１以上の機能を有して、前記格納手段に記憶された前記番組映像を再生する際に、前記格納手段に記憶された指標に基づいて、前記番組映像を前記１つ以上の機能を使用して表示するものであることを特徴とする請求項１４に記載の視聴情報収集配信システム。
【請求項１６】
前記映像表示装置は、
さらに、前記表示手段による表示の際に、前記１つ以上の機能を使用して操作された操作情報を前記視聴解析サーバに送信する送信手段を備え、
前記視聴解析サーバは、
さらに、前記送信手段が送信した前記操作情報を受信する受信手段と、
前記受信手段が受信した前記映像表示装置における操作情報に基づいて、前記複数の映像の映像ごとの視聴集中度を解析し、解析された前記視聴集中度に基づいて前記指標情報を更新する指標更新手段と、を備えて前記更新された指標情報を前記映像表示装置に配信するものであることを特徴とする請求項１５に記載の視聴情報収集配信システム。
【請求項１７】
前記映像表示装置は、前記映像配信サーバが配信する前記複数の映像として番組映像を受信するものであり、
前記視聴解析サーバは、前記番組映像に関する各映像ごとの視聴集中度情報を指標として前記映像表示装置に配信するものであり、
前記映像表示装置は、受信する前記番組映像を、配信された前記視聴集中度情報に基づいて表示するものであることを特徴とする請求項１４〜１６のいずれか１つに記載の視聴情報収集配信システム。
【請求項１８】
前記視聴解析サーバは、
前記操作情報を送信してきた前記映像表示装置に対してのみ、前記指標情報を配信するものであることを特徴とする請求項１６または１７に記載の視聴情報収集配信システム。
【発明の詳細な説明】
【技術分野】
【０００１】
本発明は、視聴者端末の映像表示装置における視聴集中度を解析する視聴解析サーバ、受信する映像を視聴集中度に基づいて表示する映像表示装置、および視聴解析サーバと映像表示装置とを備えた視聴情報収集配信システムに関する。
【背景技術】
【０００２】
インタネットは、TCP/IP(Transmission Control Protocol/Internet Protocol)を標準プロトコルとした世界最大のコンピュータ・ネットワークである。インタネットを介して既に、膨大な情報が交換されている。インタネットの利用範囲は、行政や教育の分野からビジネスやショッピングなど日常生活にも広がり、郵便・新聞・テレビなどと並ぶ新しいメディアとして認識されている。さらに近年、ＨＤＤ(Hard Disc Drive)などを用いたＴＶ番組の蓄積装置が開発されている。これらの蓄積装置は、インタネットに接続してＥＰＧ（電子番組ガイド）を利用してインタネット上から番組を予約できる。
【０００３】
また、インタネットと接続したサーバに、蓄積装置が録画予約した番組の履歴を記録し、その履歴から視聴者の嗜好を割り出し、自動録画予約、広告、商品販売、および有料ニュース配信の際の情報として利用することが考えられている。また、視聴率の算定にもインタネットが利用可能となってきている。
【０００４】
そこで、インタネットを介して、受信履歴を収集し、視聴者についてのデータベースを作成する発明が成されている。例えば、視聴者が操作するクライアント端末の受信履歴情報および個人的情報を読み込んで、視聴者の視聴状況について的確に統計処理する管理データベースサーバが発明されている（特許文献１）。
【０００５】
【特許文献１】特開２００１−１０９７７０号公報
【発明の開示】
【発明が解決しようとする課題】
【０００６】
しかしながら、特許文献１の発明では、受信履歴を集めるだけであって、視聴者が本当にその番組を視聴しているか、或いは受信した番組のどの部分に最も興味を持って見ていたかを知ることができないという問題があった。
【０００７】
そのため、単に受信履歴を集めるだけでなく、サーバに録画予約した番組の視聴状況の履歴によって算定された視聴率が必要とされている。しかし、録画予約した場合であっても、必ずしも視聴されているとは限らず、録画予約されたという情報だけが確実な情報に過ぎない。録画された番組を実際に見たという情報や、番組のどの部分を見てどの部分を見ていないかという情報を収集できないので、視聴者各個人の嗜好や正確な視聴率についての情報が得られないという問題があった。
【０００８】
本発明は、上記の問題点に鑑みてなされ、その目的は、ネットワークに接続された映像表示装置において、実際にどのように再生されたかの正確な情報を取得し、映像に関する視聴の重要度である視聴集中度を解析する視聴解析サーバ、および解析された視聴集中度を受信して視聴集中度に基づいて効率良く映像を再生し視聴できる映像表示装置、およびそのような視聴解析サーバと映像表示装置とを備えた視聴情報収集配信システムを提供することである。
【課題を解決するための手段】
【０００９】
上述した課題を解決し、目的を達成するために、請求項１にかかる発明は、視聴解析サーバであって、複数の映像を受信して記録し表示する映像表示装置の記録再生操作によって取得される前記複数の映像の視聴状況に関する視聴情報を、ネットワークを介して受信して解析する視聴解析サーバであって、前記映像表示装置における視聴状況に関する視聴情報を受信する受信手段と、前記受信手段によって受信した前記視聴情報に基づいて、前記複数の映像が視聴される映像ごとの視聴集中度の高さである視聴集中度を解析する集中度解析手段と、を備えたことを特徴とする。
【００１０】
この請求項１にかかる発明によれば、視聴解析サーバの受信手段は、映像表示装置における視聴状況に関する視聴情報を受信する。集中度解析手段は、受信した視聴情報に基づいて、複数の映像が視聴される映像ごとの視聴集中度の高さである視聴集中度を解析する。この構成によって、視聴解析サーバは、視聴者が映像表示装置において視聴する視聴状況を示す視聴情報を受信して、例えば番組などにおける映像を視聴者が視聴する映像の視聴集中度を解析することができる。
【００１１】
また、請求項２にかかる発明は、請求項１に記載の視聴解析サーバにおいて、前記複数の映像は番組映像であり、前記受信手段は、前記映像表示装置の前記番組映像に関する視聴情報を受信し、前記集中度解析手段は、受信した前記視聴情報に基づいて前記番組映像の映像ごとの視聴集中度を解析するものであることを特徴とする。
【００１２】
この請求項２にかかる発明によれば、映像表示装置の番組映像に関する視聴情報を受信して、集中度解析手段は、視聴情報に基づいて番組映像の映像ごとの視聴集中度を解析する。この構成によって、番組映像を視聴者が視聴する映像の視聴集中度を解析することができる。
【００１３】
また、請求項３にかかる発明は、請求項１または２に記載の視聴解析サーバにおいて、前記受信手段は、前記映像表示装置による再生、再生しながらの早送り、再生しないスキップ、繰り返し再生であるリピート、停止、および再生の一時停止であるポーズのうちの１つ以上を含んだ前記視聴情報を受信し、前記集中度解析手段は、受信した前記１つ以上を含んだ視聴情報に基づいて前記番組映像の映像ごとの視聴集中度を解析するものであることを特徴とする。
【００１４】
この請求項３にかかる発明によれば、映像表示装置による再生、再生しながらの早送り、再生しないスキップ、繰り返し再生であるリピート、停止、および再生の一時停止であるポーズのうちの１つ以上を含んだ視聴情報を受信して、視聴集中度解析手段は、受信した１つ以上の操作を含んだ視聴情報に基づいて番組映像の映像ごとの視聴集中度を解析する。この構成によって、映像表示装置の視聴の際の操作情報を取得して視聴集中度を解析するので、映像表示装置による具体的で正確な操作および視聴状況についての情報を取得することができる。
【００１５】
また、請求項４にかかる発明は、請求項１〜３のいずれか１つに記載の視聴解析サーバにおいて、さらに、前記集中度解析手段によって解析された前記映像ごとの視聴集中度の情報を、前記映像表示装置を含む端末装置に送信する送信手段を備えたことを特徴とする。
【００１６】
この請求項４にかかる発明によれば、送信手段は、集中度解析手段によって解析された映像ごとの視聴集中度の情報を、映像表示装置を含む端末装置に送信する。この構成によって、解析された映像に関する視聴集中度を映像表示装置などの端末装置に送信するので、端末装置は送信された視聴集中度によって効率的に視聴することが可能になる。
【００１７】
また、請求項５にかかる発明は、複数の映像を受信して表示する映像表示装置であって、前記複数の映像、および前記複数の映像における各映像ごとの指標をネットワークを介して視聴解析サーバから受信する受信手段と、前記受信手段によって受信した前記指標を読み取る指標読取手段と、前記指標読取手段によって読み取られた指標に基づいて前記映像を表示する表示手段と、を含むことを特徴とする。
【００１８】
この請求項５にかかる発明によれば、映像表示装置の受信手段は、複数の映像、および複数の映像における各映像ごとの指標をネットワークを介して視聴解析サーバから受信する。指標読取手段は、受信した指標を読み取る。表示手段は、読み取られた指標に基づいて映像を表示する。この構成によって、映像に関して受信した指標に基づいて映像を表示することができ、指標、例えば視聴集中度の高い部分のみを自動的に選別して視聴することができるので、効率的な視聴が可能になる。
【００１９】
また、請求項６にかかる発明は、請求項５に記載の映像表示装置において、さらに、前記受信手段が受信した複数の映像、および前記指標読取手段が読み取った各映像ごとの指標を記録する格納手段を備え、前記表示手段は、前記格納手段に記憶された前記複数の映像を、記憶された前記各映像ごとの指標に基づいて表示することを特徴とする。
【００２０】
この請求項６にかかる発明によれば、受信手段が受信した複数の映像、および指標読取手段が読み取った各映像ごとの指標を記録する格納手段を備え、表示手段は、記憶された複数の映像を、各映像ごとの指標に基づいて表示する。この構成によって、格納手段に格納した映像を、格納した視聴集中度に基づいて表示することができるので、録画映像を視聴集中度に基づいて効率的な視聴が可能になる。
【００２１】
また、請求項７にかかる発明は、請求項５または６に記載の映像表示装置において、前記表示手段は、前記格納手段に記憶された前記複数の映像を再生する際に、再生、再生しながらの早送り、再生しないスキップ、繰り返し再生であるリピート、停止、および再生の一時停止であるポーズのうちの１以上の機能を有して、前記格納手段に記憶された各映像ごとの指標に基づいて、前記複数の映像を前記１つ以上の機能を使用して表示するものであり、さらに、前記表示手段による表示の際の前記１つ以上の機能を操作した操作情報を前記視聴解析サーバに送信する送信手段を備えたことを特徴とする。
【００２２】
この請求項７にかかる発明によれば、表示手段は、記憶された複数の映像を再生する際に、再生、再生しながらの早送り、再生しないスキップ、繰り返し再生であるリピート、停止、および再生の一時停止であるポーズのうちの１以上の機能を有して、各映像ごとの指標に基づいて、複数の映像を表示する。また、送信手段は、表示の際の１つ以上の機能を操作した操作情報を視聴解析サーバに送信する。この構成によって、視聴集中度にもとづいて、例えば再生、リピート、一時停止、スキップなどのモードで自動的に表示することができるので、録画映像を自動的に重点的および効率的に視聴することができる。また、映像表示装置において操作した視聴情報を自動的に視聴解析サーバに送信して視聴情報を自動的に蓄積することができるので、より新しく具体的な視聴状況についての指標、例えば視聴集中度を取得することができる。
【００２３】
また、請求項８にかかる発明は、請求項５〜７のいずれか１つに記載の映像表示装置において、前記受信手段は、前記指標として前記映像ごとの視聴度の高さである視聴集中度情報を受信し、前記指標読取手段は、前記映像ごとの視聴集中度情報を読み取り、前記表示手段は、読み取られた前記視聴集中度情報に基づいて前記映像を表示するものであることを特徴とする。
【００２４】
この請求項８にかかる発明によれば、受信手段は、指標として映像ごとの視聴度の高さである視聴集中度情報を受信し、指標読取手段は、映像ごとの視聴集中度情報を読み取り、表示手段は、読み取られた視聴集中度情報に基づいて映像を表示する。この構成によって、映像に関する指標として視聴集中度情報を用いるので、映像に関して視聴集中度の高さに基づいて視聴できる効率的な視聴が可能になる。
【００２５】
また、請求項９にかかる発明は、請求項８に記載の映像表示装置において、前記受信手段は、前記複数の映像として番組映像、および前記番組映像の各映像ごとの指標として視聴集中度を受信し、前記指標読取手段は、受信した前記番組映像の各映像ごとの視聴集中度を読み取り、前記表示手段は、前記指標読取手段によって読み取られた視聴集中度に基づいて前記番組映像を表示するものであることを特徴とする。
【００２６】
この請求項９にかかる発明によれば、受信手段は、複数の映像として番組映像、および番組映像の各映像ごとの指標として視聴集中度を受信するので、番組映像を視聴集中度の高さに基づいて効率的に視聴することができる。
【００２７】
また、請求項１０にかかる発明は、請求項９に記載の映像表示装置において、前記表示手段は、前記格納手段に記憶された前記番組映像を再生する際に、再生、再生しながらの早送り、再生しないスキップ、繰り返し再生であるリピート、停止、および再生の一時停止であるポーズのうちの１つ以上の機能を有し、前記指標読取手段が読み取った視聴集中度に基づいて、前記番組映像を前記１つ以上の機能を使用して表示するものであることを特徴とする。
【００２８】
この請求項１０にかかる発明によれば、表示手段は、格納手段に記憶された番組映像を再生する際に、再生、再生しながらの早送り、再生しないスキップ、繰り返し再生であるリピート、停止、および再生の一時停止であるポーズのうちの１つ以上の機能を使用しながら、指標読取手段が読み取った視聴集中度に基づいて表示する。この構成によって、視聴集中度の高さによって、自動的に映像表示装置が再生、リピート、スキップなどの表示モードによって表示するので、より選択肢の多い視聴モードで効率的に視聴することができる。
【００２９】
また、請求項１１にかかる発明は、請求項５〜１０のいずれか１つに記載の映像表示装置において、さらに、前記指標読取手段が読み取った前記各映像の指標を所定のしきい値と比較し判定する比較手段を備え、前記表示手段は、前記比較手段によって前記所定のしきい値以上であると判定された映像のみを表示するものであることを特徴とする。
【００３０】
この請求項１１にかかる発明によれば、表示手段は、比較手段によって所定のしきい値以上であると判定された映像のみを表示する。この構成によって、映像に関して所定の指標値以上の映像のみを視聴することができるので、効率的な視聴が可能になる。
【００３１】
また、請求項１２にかかる発明は、請求項１１に記載の映像表示装置において、前記表示手段は、前記比較手段によって前記所定のしきい値以上であると判定された映像部分の所定の時間以前の映像のみを表示するものであることを特徴とする。
【００３２】
この請求項１２にかかる発明によれば、表示手段は、比較手段によって所定のしきい値以上であると判定された映像部分の所定の時間以前の映像のみを表示する。この構成によって、クライマックスシーンよりも少し前の映像のみを表示し、視聴者はいわば予告編的にクライマックスシーンよりも少し前の映像のみをダイジェスト的に視聴することができるので、未だ視聴しないという点において興味を持続して映像を視聴することができる。
【００３３】
また、請求項１３にかかる発明は、請求項１１または１２に記載の映像表示装置において、前記表示手段は、前記比較手段によって前記所定のしきい値以上であると判定された映像部分の所定の時間以前の映像において、前記所定のしきい値以上である映像の開始を予告する予告表示を行うものであることを特徴とする。
【００３４】
この請求項１３にかかる発明によれば、表示手段は、比較手段によって所定のしきい値以上であると判定された映像部分の所定の時間以前の映像において、所定のしきい値以上である映像の開始を予告する予告表示を行う。この構成によって、クライマックスシーンの少し前に予告表示することによって、そのシーンをその時点で視聴するかしないか選択することができるので、映像全部を改めて見る場合においても興味を持続したままで視聴することができる。
【００３５】
また、請求項１４にかかる発明は、視聴情報収集配信システムにおいて、映像配信サーバから配信される複数の映像を受信し表示する映像表示装置と、ネットワークに接続して前記複数の映像に関する各映像ごとの指標を指標情報として前記映像表示装置に配信する視聴解析サーバと、を備えた視聴情報収集配信システムであって、前記映像表示装置は、前記複数の映像および前記指標情報を受信する受信手段と、前記受信手段によって受信した前記指標情報の指標を読み取る指標読取手段と、受信した前記複数の映像、および前記指標読取手段が読み取った指標を記憶する格納手段と、前記格納手段に記憶された前記複数の映像を、格納された前記各映像ごとの指標に基づいて表示する表示手段と、を備えるものであることを特徴とする。
【００３６】
この請求項１４にかかる発明によれば、視聴情報収集配信システムにおいて、映像表示装置は、複数の映像および指標情報を受信して指標情報の指標を読み取って、複数の映像および指標を格納しておき、格納手段に記憶された複数の映像を各映像ごとの指標に基づいて表示する。この構成によって、配信される指標情報に基づいて複数の映像を視聴することができるので、効率的な視聴が可能になる。
【００３７】
また、請求項１５にかかる発明は、請求項１４に記載の視聴情報収集配信システムにおいて、前記映像表示装置の前記表示手段は、再生、再生しながらの早送り、再生しないスキップ、繰り返し再生であるリピート、停止、および再生の一時停止であるポーズのうちの１以上の機能を有して、前記格納手段に記憶された前記番組映像を再生する際に、前記格納手段に記憶された指標に基づいて、前記番組映像を前記１つ以上の機能を使用して表示するものであることを特徴とする。
【００３８】
この請求項１５にかかる発明によれば、映像表示装置の表示手段は、再生、再生しながらの早送り、再生しないスキップ、繰り返し再生であるリピート、停止、および再生の一時停止であるポーズのうちの１以上の機能を有して、番組映像を再生する際に指標に基づいて番組映像を上記の１つ以上の機能を使用して表示する。この構成によって、指標情報に基づいて自動的に映像表示装置の操作の各種の機能を使用したモードによって表示できるので、自動的に選択肢の多い効率的な視聴が可能になる。
【００３９】
また、請求項１６にかかる発明は、請求項１５に記載の視聴情報収集配信システムにおいて、前記映像表示装置は、さらに、前記表示手段による表示の際に、前記１つ以上の機能を使用して操作された操作情報を前記視聴解析サーバに送信する送信手段を備え、前記視聴解析サーバは、さらに、前記送信手段が送信した前記操作情報を受信する受信手段と、前記受信手段が受信した前記映像表示装置における操作情報に基づいて、前記複数の映像の映像ごとの視聴集中度を解析し、解析された前記視聴集中度に基づいて前記指標情報を更新する指標更新手段と、を備えて前記更新された指標情報を前記映像表示装置に配信するものであることを特徴とする。
【００４０】
この請求項１６にかかる発明によれば、映像表示装置は、映像を視聴する際に、上記１つ以上の機能を使用して操作された操作情報を視聴解析サーバに送信する送信手段を備え、視聴解析サーバは、受信した操作情報に基づいて、複数の映像の映像ごとの視聴集中度を解析して指標情報を更新する。この構成によって、視聴解析サーバは、より最新の視聴集中度を解析することができるので、最新の視聴集中度に基づく効率的な視聴が可能になる。
【００４１】
また、請求項１７にかかる発明は、請求項１４〜１６のいずれか１つに記載の視聴情報収集配信システムにおいて、前記映像表示装置は、前記映像配信サーバが配信する前記複数の映像として番組映像を受信するものであり、前記視聴解析サーバは、前記番組映像に関する各映像ごとの視聴集中度情報を指標として前記映像表示装置に配信するものであり、前記映像表示装置は、受信する前記番組映像を、配信された前記視聴集中度情報に基づいて表示するものであることを特徴とする。
【００４２】
この請求項１７にかかる発明によれば、映像配信サーバは番組映像配信し、視聴解析サーバは、番組映像に関する各映像ごとの視聴集中度情報を指標として配信し、映像表示装置は、番組映像を、配信された視聴集中度情報に基づいて表示する。この構成によって、映像表示装置は、番組映像を視聴集中度情報に基づいて自動的に効率的に視聴することができる。
【００４３】
また、請求項１８にかかる発明は、請求項１６または１７に記載の視聴情報収集配信システムにおいて、前記視聴解析サーバは、前記操作情報を送信してきた前記映像表示装置に対してのみ、前記指標情報を配信するものであることを特徴とする。
【００４４】
この請求項１８にかかる発明によれば、視聴解析サーバは、操作情報を送信してきた映像表示装置に対してのみ、指標情報を配信する。この構成によって、映像視聴に関する操作情報の提供と、視聴集中度情報の提供とを、双方向的な関係において提供しあうので、視聴解析サーバはより統計的にばらつきのない視聴に関する正確な指標値を取得でき、また映像表示装置においてはより統計的にばらつきのない指標値に基づいて視聴できるので、より効率的な視聴が可能になる。
【発明の効果】
【００４５】
本発明（請求項１）にかかる視聴解析サーバは、視聴者が映像表示装置において視聴する視聴状況を示す視聴情報を受信して、例えば番組などにおける映像を視聴者が視聴する映像の視聴集中度を解析することができるという効果を奏する。
【００４６】
本発明（請求項２）にかかる視聴解析サーバ、番組映像を視聴者が視聴する映像の視聴集中度を解析することができるという効果を奏する。
【００４７】
本発明（請求項３）にかかる視聴解析サーバは、映像表示装置の視聴の際の操作情報を取得して視聴集中度を解析するので、映像表示装置による具体的で正確な操作および視聴状況についての情報を取得することができるという効果を奏する。
【００４８】
本発明（請求項４）にかかる視聴解析サーバは、解析された映像に関する視聴集中度を映像表示装置などの端末装置に送信するので、端末装置は送信された視聴集中度によって効率的に視聴することが可能になるという効果を奏する。
【００４９】
本発明（請求項５）にかかる映像表示装置は、映像に関して受信した指標に基づいて映像を表示することができるので、指標、例えば視聴集中度の高い部分のみを自動的に選別して視聴することができるので、効率的な視聴が可能になるという効果を奏する。
【００５０】
本発明（請求項６）にかかる映像表示装置は、格納手段に格納した映像を、格納した視聴集中度に基づいて表示することができ、録画映像を視聴集中度に基づいて効率的な視聴が可能になるという効果を奏する。
【００５１】
本発明（請求項７）にかかる映像表示装置は、視聴集中度にもとづいて、例えば再生、リピート、一時停止、スキップなどのモードで自動的に表示することができるので、録画映像を自動的に重点的および効率的に視聴することができるという効果を奏する。また、映像表示装置において操作した視聴情報を自動的に視聴解析サーバに送信して視聴情報を自動的に蓄積することができるので、より新しく具体的な視聴状況についての指標、例えば視聴集中度を取得することができるという効果を奏する。
【００５２】
本発明（請求項８）にかかる映像表示装置は、映像に関する指標として視聴集中度情報を用いるので、映像に関して視聴集中度の高さに基づいて視聴できる効率的な視聴が可能になるという効果を奏する。
【００５３】
本発明（請求項９）にかかる映像表示装置は、複数の映像として番組映像、および番組映像の各映像ごとの指標として視聴集中度を受信するので、番組映像を視聴集中度の高さに基づいて効率的に視聴することができるという効果を奏する。
【００５４】
本発明（請求項１０）にかかる映像表示装置は、番組映像を再生する際に、再生、再生しながらの早送り、再生しないスキップ、繰り返し再生であるリピート、停止、および再生の一時停止であるポーズのうちの１つ以上の機能を使用しながら、指標読取手段が読み取った視聴集中度に基づいて表示するので、より選択肢の多い効率的な視聴モードで効率的に視聴することができるという効果を奏する。
【００５５】
本発明（請求項１１）にかかる映像表示装置は、映像に関して所定の指標値以上の映像のみを視聴することができるので、効率的な視聴が可能になるという効果を奏する。
【００５６】
本発明（請求項１２）にかかる映像表示装置は、クライマックスシーンよりも少し前の映像のみを表示し、視聴者はいわば予告編的にクライマックスシーンよりも少し前の映像のみをダイジェスト的に視聴することができるので、未だ視聴しないという点において興味を持続して映像を視聴することができるという効果を奏する。
【００５７】
本発明（請求項１３）にかかる映像表示装置は、クライマックスシーンの少し前に予告表示することによって、そのシーンをその時点で視聴するかしないか選択することができるので、映像全部を改めて見る場合においても興味を持続したままで視聴することができるという効果を奏する。
【００５８】
本発明（請求項１４）にかかる視聴情報収集配信システムは、配信される指標情報に基づいて複数の映像を視聴することができるので、効率的な視聴が可能になるという効果を奏する。
【００５９】
本発明（請求項１５）にかかる視聴情報収集配信システムは、指標情報に基づいて自動的に映像表示装置の操作の機能を使用したモードによって表示できるので、自動的に選択肢の多い効率的な視聴が可能になるという効果を奏する。
【００６０】
本発明（請求項１６）にかかる視聴情報収集配信システムは、視聴解析サーバがより最新の視聴集中度を解析することができるので、最新の視聴集中度に基づく効率的な視聴が可能になるという効果を奏する。
【００６１】
本発明（請求項１７）にかかる視聴情報収集配信システムは、映像表示装置が、番組映像を視聴集中度情報に基づいて自動的に効率的に視聴することができるという効果を奏する。
【００６２】
本発明（請求項１８）にかかる視聴情報収集配信システムは、映像視聴に関する操作情報の提供と、視聴集中度情報の提供とを、双方向的な関係において提供しあうので、視聴解析サーバはより統計的にばらつきのない視聴に関する正確な指標値を取得でき、また映像表示装置においてはより統計的にばらつきのない指標値に基づいて視聴できるので、より効率的な視聴が可能になるという効果を奏する。
【発明を実施するための最良の形態】
【００６３】
以下に添付図面を参照して、この発明にかかる視聴解析サーバ、映像表示装置、および視聴解析サーバと映像表示装置とを備えた視聴情報収集配信システムの最良な実施の形態を詳細に説明する。
【００６４】
（実施の形態）
（１．１．実施の形態による視聴情報収集配信システムの構成）
図１は、本発明の実施の形態による視聴情報収集配信システムの機能的ブロック図である。視聴情報収集配信システムは、映像配信サーバ１、映像表示装置２、および視聴解析サーバ３からなる。
【００６５】
映像配信サーバ１は、インタネット４を介して、複数の映像から成る番組映像を映像表示装置２に配信する。但し、映像配信サーバ１が映像を配信するのは、インタネット４を介した配信とは限らず、他の方式による配信であっても可能である。
【００６６】
（１．２．映像表示装置の構成）
クライアント端末である映像表示装置２は、配信された映像を、視聴解析サーバ３から送信される映像に関する集中度情報を受信し、受信した集中度情報を読み取って、該映像を表示する。映像表示装置２は、受信部２１，送信部２２，指標読取部２３、表示部２４、格納部２５、比較部２６、および操作部２７を備える。
【００６７】
受信部２１は、映像配信サーバ１から送信される番組映像、および視聴解析サーバ３から送信される集中度情報を受信する。送信部２２は、映像表示装置において視聴される際の再生、一時停止、早送り再生、スキップである早送り、および停止などの操作に関する情報を、視聴者の視聴情報として視聴解析サーバ３に送信する。
【００６８】
ここで、受信する映像は番組映像として説明する。映像配信サーバ１から配信される番組映像に関する一般の視聴者の視聴状況は、再生、早送り、一時停止、スキップ、および停止などの視聴者の操作を含む。この操作状況によって報じる視聴状況に関する情報は、後述するように、視聴解析サーバ３によって解析され、視聴者の視聴集中度の情報である視聴集中度情報が生成される。
【００６９】
指標読取部２３は、受信した集中度情報を読み取り、対応する映像番組と対応付ける。指標読取部２３は、映像に関する一般的な指標を読み取って表示部２４に送信する。ここでは、番組映像が集中して視聴された度合いを表す視聴集中度を扱うものとする。但し、指標読取部は、視聴集中度のみを扱うものではない。番組に関連する指標であれば扱うことができる。
【００７０】
格納部２５は、受信した番組映像、および視聴者集中度情報を格納する。
【００７１】
比較部２６は、指標読取部２３によって読み取られた視聴重要度を、所定のしきい値と比較する。
【００７２】
表示部２４は、指標読取部２３によって読み取られた視聴集中度に従って番組映像を表示する。例えば、視聴集中度が比較部２６によって所定のしきい値と比較されて、所定のしきい値以上である場合は番組映像を表示し、以下である場合は表示しない。あるいは、所定のしきい値ａとしきい値ｂの間であると判定された場合は、早送り再生を選択して表示する。
【００７３】
操作部２７は、映像表示装置２を操作する視聴者による操作入力を受け付ける。例えば、視聴に際して、通常の再生、再生しながらの早送り、再生しないスキップ、繰り返し再生であるリピート、および再生の一時停止であるポーズなどの具体的な操作入力を受け付ける。
【００７４】
また、操作部２７は、視聴者が操作した操作に関する情報を送信部２２に送信する設定を受け付ける。送信部２２は受信した操作者の番組に関連する操作情報を、視聴解析サーバ３に送信する。
【００７５】
但し操作部２７は、視聴者が番組映像に関連する操作情報を、視聴解析サーバ３に送信するか否かの選択入力を受け付けることができる。これによって、視聴者は、プライバシーに関わる個人の操作情報を送信するか否かを選択することができる。
【００７６】
（１．３．視聴解析サーバの構成）
視聴解析サーバ３は、受信部３１、送信部３２、集中度解析部３３、および記憶部３４を備える。
【００７７】
受信部３１は、映像表示装置２から送信される視聴者が映像表示装置２を操作した操作に関する情報である視聴情報を、受信する。
【００７８】
集中度解析部３３は、受信した視聴情報によって視聴者が番組を視聴する集中度である視聴集中度を解析する。
【００７９】
送信部３２は、集中度解析部３３が解析した視聴集中度情報を、映像表示装置２に送信する。但し、必要に応じて送信部３２は、映像配信サーバ１に対しても視聴集中度情報を送信することができる。或いは、必要に応じて、例えば番組製作サーバ、視聴率調査サーバ（不図示）などに送信することができる。
【００８０】
ここで、視聴解析サーバ３は、集中度解析部３３が解析した視聴集中度情報を、映像表示装置２のみならず、必要に応じて、例えば番組製作サーバ、視聴率調査サーバ（不図示）などに送信するシステムとすることができる。
【００８１】
（１．４．視聴情報収集配信システムの運用例）
図２は、視聴情報収集配信システムを運用する一例を説明する図である。実際の運用例の中で、上述した各サーバ、装置、および各部についてさらに詳細に説明する。
【００８２】
ここでは、複数の映像表示装置２ａ〜２ｃが、インタネット４を介して視聴解析サーバ３と接続されている。電子番組ガイド（ＥＰＧ）５は、インタネット４を介してＥＰＧ配信サーバ（不図示）から公開あるいは配信されるものとする。
【００８３】
映像表示装置２ａ〜２ｃのうちの１つ、例えば２ｂを操作するユーザは、映像表示装置２ｂの操作部２７を操作して、インタネット４上で公開されているＥＰＧ５により番組の録画予約を行う。録画される番組は、格納部２５に格納される。録画された録画情報には、番組のタイトルや放送時間、詳細、その他の情報がＥＰＧを介して送信され、付加される。
【００８４】
ユーザが録画した番組を視聴する際には、視聴操作に関する状況が、図２に示す視聴状況テーブル２ｄのように記録される。視聴状況テーブル２ｄにおいて番組の開始時を０とした時間（秒）と、視聴行動の対（ペア）のデータが随時付加されて、格納部２５に格納される。
【００８５】
映像表示装置２の送信部２２は、視聴操作によって取得された視聴情報を自動的に視聴解析サーバ３に送信する。ただし、視聴情報はプライベートな情報であるため、ユーザは映像表示装置２の操作部２７から視聴情報の送信を許可するかしないかを設定することができる。
【００８６】
視聴解析サーバ３は、映像表示装置２から送信される視聴情報を、受信部３１で受信し、集中度解析部３３において解析し、映像ごとに視聴集中度を算出する。あるいは、集中度解析部３３は、番組単位だけでなく、テレビ番組映像の放映などの場合は、１日の時間単位での視聴収集度を算出してもよい。
【００８７】
映像表示装置２において再生している映像部分は視聴されており、早送り再生されている部分は視聴されている度合いが、通常の再生に比較して低いものである。また、停止後はまったく視聴されていない。また、再生せずに早送り（スキップ）する部分も全く視聴されていない部分である。
【００８８】
視聴集中度の指数は、例えば再生を100パーセントとした場合、停止あるいは再生しない早送り部分は0パーセントであり、早送り再生されている部分は一定値であるａパーセントと設定する。早送り再生の速度によってａは０から１００までの間の値で可変と設定し得る。ａの値は調整可能で、サーバ管理者により設定できるものとする。
【００８９】
（１．４．１．集中度解析部）
視聴解析サーバ３の集中度解析部３３は、視聴情報を受信し、各映像表示装置２における視聴情報を収集して、時間ごとに平均値を取得することによって、番組の進行時間に対する視聴集中度を算出する。図２に示されたように、インタネット４を介して接続された映像表示装置２ａ〜２ｃは、上述したようにそれぞれの装置において視聴した状態の視聴情報を、視聴解析サーバ３に送信する。視聴情報を受信した視聴解析サーバ３は、記憶部３４に記憶する。集中度解析部３３が視聴集中度情報を解析する。視聴情報テーブル２ｄは、今、映像表示装置２ｂにおいて視聴された視聴状況を示している。視聴情報テーブル２ｄで、時間０秒時に再生を開始し、６００秒時から早送りをし、６６０秒時からまた再生を行った。そして、１８００秒時以降は停止状態である。このような視聴状況が視聴解析サーバ３に送信された場合、集中度解析部３３は、上述の視聴状況に対応した視聴集中度を時間ごとに対応させる。即ち、視聴集中度情報３５に示されているように、再生が始まった０秒時以降の視聴集中度は１００であり、６００秒時以降は早送りであるので１０であり、６６０秒時以降はまた再生であるので１００である。そして、１８００秒時以降は視聴集中度は０となる。
【００９０】
図３−１は、集中度解析部が視聴集中度を算出する手順を説明するフローチャートである。集中度解析部３３は、番組映像の進行時間である時間ｔｉにおいて取得されたｍ個の映像表示装置２からの視聴集中度αｉｊをｊ＝１からｍまで加算する（ステップＳ１０１）。算出する時間ｔの添え字ｉは、ｉ＝１〜ｐである。装置の数はｍであり、ｊはｊ＝１〜ｍである。加算後にｊ＝ｍであるか否かを判定し（ステップＳ１０２）、ｊがｍより小さければ（ステップＳ１０２のＮｏ）、ｊ＝ｊ＋１として（ステップＳ１０３）ステップＳ１０１に戻る。ｊ＝ｍであれば（ステップＳ１０２のＹｅｓ）、αｉの平均値を算出する。αｉの平均値は（Σαｉｊ）／ｍで算出される（ステップＳ１０４）。これで、時間ｔｉにおける番組映像を、各映像端末装置が視聴した視聴集中度の平均値が算出された。
【００９１】
ここで、番組映像の最終時間はｔｐである。ステップＳ１０４によって算出されたαｉの平均値においてｉがｉ＝ｐであるか否かを判定し（ステップＳ１０５）、ｉ＝ｐでない場合（ステップＳ１０５のＮｏ）、ｉをｉ＝ｉ＋１と置き換えて（ステップＳ１０６）、ステップＳ１０１に戻る。ｉ＝ｐであると判定された場合（ステップＳ１０５のＹｅｓ）、そのまま終了する。
【００９２】
図３−２は、複数の映像表示装置がそれぞれ視聴情報を送信し、視聴解析サーバの集中度解析部が視聴集中度を算出することを説明する図である。図３−２においては、映像表示装置２ａおよび映像表示装置２ｂがそれぞれ経過時間に対する視聴情報ＡおよびＢを送信した場合において、視聴解析サーバ３の集中度解析部３３が、平均して視聴集中度を算出する。図３−１のフローチャートによって説明された方法によって、時間に対する視聴集中度が加算されて平均され、時間に対する視聴集中度が取得される。
【００９３】
図４は、実施の形態による視聴解析サーバによって解析された番組映像における視聴集中度のグラフの一例を示す図である。グラフは時間を横軸に、視聴集中度を縦軸に示した。現行のテレビ放送番組の映像をライブで視聴者が視聴する場合は一般的に、時間とともに緩やかに上昇し、最も注目される点、すなわちクライマックスが生じ易い。また、ビデオで映像を見るときは一般的に、極端な起伏は少なく、緩やかな、あるいは平坦な曲線となり易い。
【００９４】
図５は、実施の形態による視聴解析サーバによって解析された放送開始時間から終了時間までの視聴集中度のグラフの一例を示す図である。１日においても所定のチャンネルの番組映像の視聴集中度は、放送開始時から終了時までにおいて変化し、時間に対する視聴集中度のグラフが取得される。
【００９５】
（１．４．２．映像表示装置）
図６は、視聴情報収集配信システムを運用する他の一例を説明する図である。各映像表示装置２ａ〜２ｃは、任意のタイミングで視聴解析サーバ３に対して視聴集中度情報を受信する請求を行う。視聴解析サーバ３は視聴集中度情報を請求してきた映像表示装置に、対応する視聴集中度情報を送信する。各映像表示装置はこの情報を保存し、後述する視聴方式を含む各種の用途に使用できる。
【００９６】
ここで、視聴集中度情報の請求は、番組映像を録画する時点で自動的に請求するように設定することができる。あるいは、視聴者の選択を操作部２７が受け付けて請求するように設定することも可能である。映像表示装置２からの視聴集中度情報の請求を受信した視聴解析サーバ３は、集中度解析部３３が作成して記憶部３４に記憶された集中度情報を読み込み、送信部３２が映像表示装置２に送信する。
【００９７】
図７は、視聴情報収集配信システムを運用する他の一例を説明する図である。各映像表示装置２ａ〜２ｃは、任意のタイミングで視聴者が操作する操作に関する視聴情報を、視聴解析サーバ３に対して自動的に送信する。視聴解析サーバ３は視聴情報を送信してきた映像表示装置２に対して、視聴集中度情報を送信する。各映像表示装置はこの情報を保存し、後述する視聴方式を含む各種の用途に使用できる。
【００９８】
ここで、視聴情報の送信は、番組映像を録画或いは再生する時点で自動的に送信するように設定することができる。あるいは、視聴者の選択を操作部２７が受け付けて送信請求するように、あるいは送信しないように設定することも可能である。映像表示装置２からの視聴情報を受信した視聴解析サーバ３は、記憶部３４に記憶された集中度情報を読み込み、送信部３２が映像表示装置２に送信する。即ち、各映像表示装置２ａ〜２ｃが視聴情報を送信するのと引き換えに、視聴解析サーバ３に対し解析された視聴情報、すなわち視聴集中度情報を送信するシステムとすることができる。各映像表示装置はこの送信された集中度情報を保存し、後述する視聴方式を含む各種の用途に使用できる。
【００９９】
（１．５．映像データのデータ構造）
図８は、実施の形態による映像表示装置が表示する際の映像データ構造の例を示す図である。映像表示装置が録画した録画データ８０は、EPGから取得した番組情報８１、配信されて録画した番組そのものの映像データ８２、そして受信した視聴集中度情報８３を備える。各映像表示装置２ａ〜２ｃは、取得した視聴集中度情報を、その番組データに付加して保存する。映像表示装置２は、保存した録画データ８０を使用して能率良く表示することができる。
【０１００】
例えば、表示部２４は視聴集中度情報８３を読み込み、読み込まれた視聴集中度情報８３に従って、集中度の低い部分は早送り再生し、集中度がきわめて低い部分は、再生無しの早送りを行い、集中度の高い部分を実際に再生して視聴し、さらに高い部分についてはリピートしながら再生することによって、短時間で能率良く視聴集中度の高い部分を重点的に視聴することができる。
【０１０１】
（１．６．映像表示装置による他の視聴方式）
図９は、実施の形態による映像表示装置において視聴する視聴方式の他の一例を説明する図である。ここでは、所定のしきい値以上の映像だけを視聴する。視聴集中度に対して、映像表示装置２の比較部２６は視聴集中度を所定のしきい値と比較判定し、越えた部分のみを、表示部２６は格納部２５に格納された複数の番組映像に渡って再生する。このような視聴方式によって、所定の重要度（視聴集中度）以上のシーン（映像）のみを集中して視聴することが可能になり、いわゆるダイジェスト的に各番組を効率的に閲覧できる。しきい値は映像表示装置ごとに操作部２７が操作者の選択入力を受け付けることによって設定可能である。
【０１０２】
ここで、指標読取部２３は、集中度解析部３３によって解析された番組の集中度を読み取るものとして説明されたが、指標としてはそれに限定されるものではない。番組の映像に対する指標値であれば、いかなる指標であっても読み取り可能であり、表示部２６は読み取られた指標に従って表示を制御することができる。
【０１０３】
図１０は、実施の形態による映像表示装置において視聴する視聴方式の他の一例を説明する図である。所定のしきい値の映像が開始する所定の時間前の映像のみを視聴する。視聴集中度に対して、映像表示装置２の比較部２６は視聴集中度を所定のしきい値と比較判定し、越える部分が開始する一定時間以前の映像を表示部２６は、格納部２５に格納された複数の番組映像に渡って再生する。このような視聴方式によって、所定の重要度以上のシーン（映像）の手前をいわば予告編的に集中して視聴することが可能になり、いわゆる予告編ダイジェスト版的に各番組を効率的に閲覧できる。しきい値および直前の視聴時間は映像表示装置ごとに操作部２７が操作者の選択入力を受け付けることによって設定可能である。
【０１０４】
このような視聴方式によって、各番組の集中度が高まるシーンの手前のみを集中して閲覧することが可能になるので、この閲覧中に興味を持った番組を実際の視聴するときは、予め集中度の高い部分を先に見ていないため、新鮮さと期待感が損なわれずに視聴できる。
【０１０５】
また、この設定された直前の所定時間が開始する時点において、アラームを出力することで、ユーザに集中度の高いシーンを見逃すことを避けることができる。アラーム出力は、音声、画像、振動などの公知技術を適用できる。こうして、ユーザは集中度の高いシーンを見逃すことを避けることができる。
【０１０６】
（１．７．ハードウェア構成）
図１１は、実施の形態による視聴解析サーバのハードウェア構成例を示す図である。上述した視聴解析サーバは、あらかじめ用意されたプログラムをパーソナルコンピュータやワークステーションなどのコンピュータシステムで実行することによって実現できる。コンピュータ２００は、ＣＰＵ（Ｃｅｎｔｒａｌ  Ｐｒｏｃｅｓｓｉｎｇ  Ｕｎｉｔ）２０１によって装置全体が制御されている。ＣＰＵ２０１には、バス２０７を介してＲＯＭ（Ｒｅａｄ  Ｏｎｌｙ  Ｍｅｍｏｒｙ）２０２、ＲＡＭ（Ｒａｎｄｏｍ  Ａｃｃｅｓｓ  Ｍｅｍｏｒｙ）２０３、ハードディスクドライブ（ＨＤＤ：Ｈａｒｄ  Ｄｉｓｋ  Ｄｒｉｖｅ）２０４、グラフィック処理装置２０５、入力インタフェース２０６が接続されている。ＲＯＭ２０２、およびＲＡＭ２０３には、ＣＰＵ２０１に実行させるＯＳ（Ｏｐｅｒａｔｉｎｇ  Ｓｙｓｔｅｍ）のプログラムやアプリケーションプログラムの少なくとも一部が格納される。またＲＡＭ２０３には、ＣＰＵ２０１による処理に必要な各種データが格納される。ＨＤＤ２０４には、ＯＳ、各種ドライバプログラム、アプリケーションプログラム、検出されたデータなどが格納される。
【０１０７】
グラフィック処理装置２０５には、モニタ２１１が接続されている。グラフィック処理装置２０５は、ＣＰＵ２０１からの命令に従って、画像をモニタ２１１の画面に表示させる。入力インタフェース２０６には、キーボード２１２とマウス２１３とが接続されている。入力インタフェース２０６は、キーボード２１２やマウス２１３から送られてくる信号を、バス２０７を介してＣＰＵ２０１に送信する。
【０１０８】
以上のようなハードウェア構成によって、本実施の形態の処理機能を実現することができる。本実施の形態をコンピュータ２００上で実現するには、コンピュータ２００にドライバプログラムを実装する。
【０１０９】
尚、本実施形態の視聴解析サーバで実行される視聴解析処理プログラムは、インストール可能な形式又は実行可能な形式のファイルでＣＤ−ＲＯＭ、フロッピー（Ｒ）ディスク、ＤＶＤ等のコンピュータで読み取り可能な記録媒体に記録されて提供される。
【０１１０】
また、本実施形態の視聴解析処理プログラムを、インタネット等のネットワークに接続されたコンピュータ上に格納し、ネットワーク経由でダウンロードさせることにより提供および配布するように構成しても良い。
【０１１１】
また、本実施の形態による映像表示装置、および映像配信装置も上記と同様のハード構成としうる。映像表示処理プログラム、および映像配信処理プログラムも同様である。
【０１１２】
なお、以上述べた映像表示装置は、表示部を有する携帯電話によって実施することも可能である。
【０１１３】
また、映像表示装置は、表示部を有する携帯情報端末によって実施することも可能である。
【０１１４】
また、上述の視聴情報収集配信システムは、映像表示装置として表示部を有する携帯電話を適用したシステムとすることも可能である。
【０１１５】
また、上述の視聴情報収集配信システムは、映像表示装置として表示部を有する携帯情報端末を適用したシステムとすることも可能である。
【０１１６】
（１．８．効果）
以上説明したように、本発明の実施の形態による視聴情報収集配信システムは、視聴情報の収集・解析による視聴集中度情報を利用した効率の良い視聴方式をユーザに提供できる。
【０１１７】
また、ユーザは、視聴集中度情報を取得して視聴集中度情報に基づいて映像表示装置で表示させることによって、効率よくダイジェスト的に視聴集中度の高い部分のみを視聴することができる。
【産業上の利用可能性】
【０１１８】
以上のように、本発明にかかる視聴解析サーバ、映像表示装置、および視聴解析サーバと映像表示装置とを備えた視聴情報収集配信システムは、映像情報を収集しかつ映像を配信する映像情報収集配信システムに有用であり、特に番組映像の視聴集中度を受信し、視聴集中度情報に基づいて番組映像を表示する番組映像の映像情報収集配信システムに適している。
【図面の簡単な説明】
【０１１９】
【図１】本発明の実施の形態による視聴情報収集配信システムの機能的ブロック図である。
【図２】視聴情報収集配信システムを運用する一例を説明する図である。
【図３−１】集中度解析部が視聴集中度を算出する手順を説明するフローチャートである。
【図３−２】複数の映像表示装置がそれぞれ視聴情報を送信し、視聴解析サーバの集中度解析部が視聴集中度を算出することを説明する図である。
【図４】実施の形態による視聴解析サーバによって解析された番組映像における視聴集中度のグラフの一例を示す図である。
【図５】実施の形態による視聴解析サーバによって解析された放送開始時間から終了時間までの視聴集中度のグラフの一例を示す図である。
【図６】視聴情報収集配信システムを運用する他の一例を説明する図である。
【図７】視聴情報収集配信システムを運用する他の一例を説明する図である。
【図８】実施の形態による映像表示装置が表示する際の映像データ構造の例を示す図である。
【図９】実施の形態による映像表示装置において視聴する視聴方式の他の一例を説明する図である。
【図１０】実施の形態による映像表示装置において視聴する視聴方式の他の一例を説明する図である。
【図１１】実施の形態による視聴解析サーバのハードウェア構成例を示す図である。
【符号の説明】
【０１２０】
１  映像配信サーバ
２  映像表示装置
３  視聴解析サーバ
４  インタネット
２１、３１  受信部
２２、３２  送信部
２３  指標読取部
２４  表示部
２５  格納部
２６  比較部
２７  操作部
３３  集中度解析部
３４  記憶部
２００  コンピュータ
【図１】
2005260578.tif 000003
【図２】
2005260578.tif 000004
【図３−１】
2005260578.tif 000005
【図３−２】
2005260578.tif 000006
【図４】
2005260578.tif 000007
【図５】
2005260578.tif 000008
【図６】
2005260578.tif 000009
【図７】
2005260578.tif 000010
【図８】
2005260578.tif 000011
【図９】
2005260578.tif 000012
【図１０】
2005260578.tif 000013
【図１１】
2005260578.tif 000014